(57)【要約】      （修正有）【課題】隔壁と直角に位置するブラケットのコーナー部に堆積するスラッジの量を減少することができて、ドック入り時のスラッジの陸揚げ量を少なくして、スラッジを陸揚げして陸上設備で処理する際の時間や処理費用を少なくすることができる船舶、及び、船舶のスラッジ堆積量低減方法を提供する。【解決手段】貨物油タンクの底面全体に加熱管を張り巡らすことなく、原油を貨物油タンクに積載して運搬する船舶において、貨物油タンクの内部の隔壁１１等と底板１５との隅部に設けるブラケット１６の一部又は全部で、隔壁１１等と底板１５とで構成するコーナー部に開口部１６ａを設けると共に、この開口部１６ａを通して、又は、この開口部１６ａの近傍まで、隔壁１１等と底板１５の隅部に、加熱管２０を設けて構成する。【選択図】図１
2015229452.tif 000002
【特許請求の範囲】
【請求項１】
貨物油タンクの底面全体に加熱管を張り巡らすことなく、原油を貨物油タンクに積載して運搬する船舶において、
前記貨物油タンクの内部の隔壁と底板との隅部に設けるブラケット若しくは垂直方向の桁材の下部の一部又は全部で、前記隔壁と前記底板とで構成するコーナー部に開口部を設けると共に、
該開口部を通して、又は、該開口部の近傍まで前記隔壁と前記底板の隅部に、加熱管を設けたことを特徴とする船舶。
【請求項２】
前記貨物油タンクの洗浄水又は洗浄油の吸引口を前記貨物油タンクの後部に設けると共に、前記加熱管を船長方向に延びる隔壁の下部に沿って船長方向に配置して構成することを特徴とする請求項１に記載の船舶。
【請求項３】
前記ブラケットをサポート型のコーナー無しのストラット形式のブラケットとして構成したことを特徴とする請求項１又は２に記載の船舶。
【請求項４】
前記加熱管は、前記隔壁と前記底板の両方に対して離間して設けることを特徴とする請求項１〜３のいずれか１項に記載の船舶。
【請求項５】
貨物油タンクの底面全体に加熱管を張り巡らすことなく、原油を貨物油タンクに積載して運搬する船舶のスラッジ堆積量低減方法において、
前記貨物油タンクの内部の隔壁と底板との隅部に設けるブラケット若しくは垂直方向の桁材の下部の一部又は全部で、前記隔壁と前記底板とで構成するコーナー部に開口部を設けると共に、
該開口部を通して、又は、該開口部の近傍まで前記隔壁と前記底板のコーナー部に、加熱管を設けて、
原油の揚げ荷役時又は前記貨物油タンクの洗浄時に、前記加熱管を加熱することにより、前記隔壁と前記底板の隅部に堆積するスラッジのワックス分とアスファルテンを溶解して、スラッジの堆積量を低減することを特徴とする船舶のスラッジ堆積量低減方法。
【発明の詳細な説明】
【技術分野】
【０００１】
本発明は、隔壁と直角に位置するブラケットや垂直方向の桁材の下部のコーナー部に堆積するスラッジの量を減少させることができて、ドック入り時のスラッジの陸揚げ量を少なくして、スラッジを陸揚げして陸上設備で処理する際の時間や処理費用を少なくすることができる船舶、及び、船舶のスラッジ堆積量低減方法に関する。
【背景技術】
【０００２】
原油を積載し運搬するタンカー等の船舶で、貨物油タンクに加熱管を装備しない船舶では、殆どの場合において、その貨物油タンク内には、スラッジと呼ばれる砂、錆、コールタール等の堆積物が貨物油タンクの内部の構造物のブラケットや垂直方向の桁材の下部などに堆積する。
【０００３】
より詳細には、図６に示すように、船舶１Ａの貨物油タンク１０は、船長方向の区切りとして複数配置され、船幅方向に配置される横隔壁１１と、船幅方向の区切りとして船長方向に配置される縦通隔壁１２とによって、周囲を囲まれている。図６の構成では、縦通隔壁１２により、左舷タンク１０Ｐ，センタータンク１０Ｃ、右舷タンク１０Ｓに区画されている。
【０００４】
この横隔壁１１と縦通隔壁１２には、これらの壁板を補強する上下方向又は水平方向の桁材が設けられている。そして、これらの横隔壁１１又は縦通隔壁１２と底板１５とで形成される隅部に、ブラケット１６が設けられてこのブラケット１６により、横隔壁１１又は縦通隔壁１２と底板１５との構造的な接続を補強している。このブラケット１６は、この部分に大きな繰り返し荷重が掛かるのを緩和するために設けられている。船舶１Ａは二重殻構造であるため、貨物油タンクの底板１５上に配置される補強材は。このブラケット１６と垂直方向の桁材１２ａのみである。
【０００５】
このブラケット１６及び垂直方向の桁材１２ａの下部は、所定の間隔で横隔壁１１又は縦通隔壁１２に底板１５と直角に設けられているが、貨物油タンク１０の洗浄時に洗浄水又は洗浄油が船長方向に縦通隔壁１２に沿って流れる際に、堰となってしまいスラッジが溜まってしまう。
【０００６】
なお、このブラケット１６及び垂直方向の桁材１２ａの下部に、小さな開口のドレンホールや大きな開口部が設けられていることがあるが、この大きな開口部は、洗浄水又は洗浄油の流れを考慮して設けられたものではなく、溶接しながら走行する自動溶接機を通すためのものであり、おおよそ縦１ｍ、横１ｍ程度の三角形状等の形状で形成される大きな開口である（例えば、特許文献１参照）。
【０００７】
貨物油タンク１０の洗浄時には、洗浄水又は洗浄油は貨物油タンク１０の後部に設けられた洗浄水又は洗浄油の吸引口まで流れるが、ブラケット１６及び垂直方向の桁材１２ａの下部が流水方向とは直角を成しているため、スラッジは、ブラケット１６及び垂直方向の桁材１２ａの下部のコーナー部に堆積してしまうという問題がある。
【０００８】
このスラッジを放置しておくと貨物油タンク内に堆積し続けて、積載が可能な貨物油の量が減少してくるため、このスラッジを除去する必要があり、このスラッジの除去に関しては、現状の原油洗浄では、その船舶の航海の開始時毎に貨物油タンクの合計数の４分の１の数のタンクを洗浄し、４航海で貨物油タンクの全体を洗浄できるようにすることが海洋汚染防止条約に基づく原油洗浄の規則で定められている。
【０００９】
また、船舶は、約２年半毎のドック入り時に、貨物油タンクに堆積されたスラッジを陸揚げして陸上施設で処理している。この陸揚げされるスラッジの重量は、２０万重量トン〜３０万重量トンのＶＬＣＣ（超大型タンカー船）で１００トンから１５０トン程度となっている。
【００１０】
したがって、このスラッジの陸揚げ量を少しでも少なくすることで、陸上で処理する場合に環境的にはより好ましい状況となるので、スラッジの堆積量を少しでも少なくすることが重要な課題となっている。
【００１１】
一方、粘度の高い油を輸送する船舶においては、積荷油のタンク内底部に近く高温蒸気管を導通し、且つ、蒸気の戻り管に復水回収装置を附設した筒型加熱ユニットを配設し、該加熱ユニットの上部開口に対向して断面山形の拡散板を下向きに設け、タンク内の油をポンプにより加熱ユニットの下部開口中心に上向きに開口した噴射ノズルからジェット状に拡散板に向かって噴射させるようにして成る船舶における積荷油の加熱装置が提案されている（例えば、特許文献２参照）。
【００１２】
また、粘度の高い油を輸送する船舶においては、加熱ユニットを貨物油タンクの床上に取り付けて、蒸気供給管と排気管を取り付けて加熱する二重底を有するタンカーの荷油加熱装置も提案されている（例えば、特許文献３参照）。
【００１３】
しかしながら、これらの積荷油の加熱装置や荷油加熱装置は、粘度が高くそのままではポンプによる搬送が困難となるような原油の輸送を行うためのものであり、通常状態でポンプ輸送が可能な原油の輸送で堆積するスラッジに関しては触れられていない。
【先行技術文献】
【特許文献】
【００１４】
【特許文献１】特開２０００―１１８４８２号公報
【特許文献２】実開昭４８―１５９１号公報
【特許文献３】実開平４―１３７９９８号公報
【発明の概要】
【発明が解決しようとする課題】
【００１５】
本発明は、上記の状況を鑑みてなされたものであり、その目的は、隔壁と直角に位置するブラケットのコーナー部に堆積するスラッジの量を減少させることができて、ドック入り時のスラッジの陸揚げ量を少なくして、スラッジを陸揚げして陸上設備で処理する際の時間や処理費用を少なくすることができる船舶、及び、船舶のスラッジ堆積量低減方法を提供することにある。
【課題を解決するための手段】
【００１６】
上記のような目的を達成するための本発明の船舶は、貨物油タンクの底面全体に加熱管を張り巡らすことなく、原油を貨物油タンクに積載して運搬する船舶において、前記貨物油タンクの内部の隔壁と底板との隅部に設けるブラケット若しくは垂直方向の桁材の下部の一部又は全部で、前記隔壁と前記底板とで構成するコーナー部に開口部を設けると共に、該開口部を通して、又は、該開口部の近傍まで前記隔壁と前記底板の隅部に、加熱管を設けて構成する。
【００１７】
なお、この「貨物油タンクの底面全体に加熱管を張り巡らすことなく」は、燃料用のＣ重油など、非常に粘性の高い油を積んでいる場合に、加熱管を貨物油タンクの底面全体にわたって底面近傍に張り巡らせて、この粘性の高い油の移動の際に、この加熱管に加熱用蒸気を通して、油を加熱して昇温し、油の流動性を高めている貨物油タンクがあるが、このような構造の貨物油タンクを本発明の貨物油タンクから除くことを意味している。
【００１８】
この構成によれば、隔壁に沿って配置される加熱管により、貨物油タンクの内部の隔壁と底板との隅部で、原油に含まれているワックス分とアスファルテンを溶融させることができ、原油やスラッジの粘性を低下させることができるので、スラッジの堆積を防ぎながら、揚げ荷役やタンク洗浄のときに加熱管を加熱することで、溶融したスラッジの一部を揚げ荷役できたり、洗浄水又は洗浄油で洗浄することができたりする。これにより、スラッジの堆積量を低減することができる。その結果、ドック入り時のスラッジの陸揚げ量を少なくすることができるので、スラッジを陸揚げして陸上設備で処理する際の時間や処理費用を少なくすることができる。
【００１９】
なお、この加熱管の取り付けは、スラッジが堆積しないように、また、可能な限り流れ易くなるように、流速と流速方向を工夫することが好ましい。例えば、この加熱管の取り付け方向は、各貨物油タンクの船長方向の縦通隔壁に沿って配置、若しくは、洗浄水又は洗浄油を吸引する側の横隔壁に沿って、若しくは、その両方に沿って、配置することが考えられるが、貨物である原油の性状によっては、各貨物油タンクの四つの周囲の隔壁沿いに配置するとより効果的となる場合もある。
【００２０】
また、このブラケットのコーナー部の開口部に関しては、開口部の開口面積の大きさによって堆積する量は多少変化するが、隅部に堆積してしまうので、スラッジの堆積量を極力少なくするためには強度が許す範囲で、開口面積を最大限に大きくすることが好ましいが限度がある。そのため、開口部と加熱管を設けて、加熱管による加熱でスラッジを溶解して洗浄水又は洗浄油と共にスラッジを除去することが有効な手段となる。
【００２１】
この開口部は、溜まり水を通過させる役割に、加熱管を通過させる役割を持つので、溜まり水を通過させる役割のドレンホールよりも大きいが、溶接しながら走行する自動溶接機を通すための開口部よりも小さくてよい。
【００２２】
上記の船舶において、前記貨物油タンクの洗浄水又は洗浄油の吸引口を前記貨物油タンクの後部に設けると共に、前記加熱管を船長方向に延びる隔壁の下部に沿って船長方向に配置して構成すると、揚げ荷役の後は、タンカー船などの船舶では、船体の姿勢を船尾側に傾斜するようにする（船尾トリムという）ことで、貨物油タンクの洗浄時に、洗浄水又は洗浄油を船尾方向に流すことができ、縦通隔壁の下部に設けたブラケット若しくは垂直方向の桁材の下部の開口部によりこの洗浄水又は洗浄油の流れを阻害することなく、貨物油タンクの後部に設けた吸引口から洗浄水又は洗浄油を排出することができる。
【００２３】
上記の船舶において、前記ブラケットをサポート型のコーナー無しのストラット形式のブラケットとして構成すると、ブラケットのコーナー部の開口部の面積も大きくとれるようになり、ブラケットのコーナー部におけるスラッジの堆積量が減少する。なお、このブラケットの開口部の形状は、円弧でも三角形でもどのような形状でもよい。
【００２４】
上記の船舶において、前記加熱管は、前記隔壁と前記底板の両方に対して離間して設けるのが好ましい。舷側側の貨物油タンクは側壁の舷側側がバラストタンクになっていて二重構造となって、隣接するバラストタンクの内部は防食のために保護用の塗装が施工されているので、加熱管によりこの塗装表面も加熱されることになるが、隔壁と離間して加熱管を設けることにより、この塗装部の温度が高くならないようにして、この塗装部分の温度を塗装が損傷しない温度範囲内とすることができる。
【００２５】
より具体的には、例えば、加熱管の取り付けを、底板側から行うとスラッジの流動性の妨げとなるので、ブラケット若しくは垂直方向の桁材の下部の開口部側から支持部材を出して、受け台、馬、ボルトナット等を使用して、底板から離間した状態に支持して取り付ける。このような構成にすることで、固着する前の、流動性があるスラッジが、ブラケット若しくは垂直方向の桁材の下部の開口部を通過するときに、加熱管の支持構造によって妨げられるのを防止することができる。なお、加熱管の底板の上の設置高さや隔壁からの離間距離に関しては、貨物である原油の性状分析を行い、適正な温度と設置高さ、離間距離の関係を実験等で分析して、最適な設定高さ、離間距離とする。
【００２６】
そして、上記のような目的を達成するための本発明の船舶のスラッジ堆積量低減方法は、貨物油タンクの底面全体に加熱管を張り巡らすことなく、原油を貨物油タンクに積載して運搬する船舶のスラッジ堆積量低減方法において、前記貨物油タンクの内部の隔壁と底板との隅部に設けるブラケット若しくは垂直方向の桁材の下部の一部又は全部で、前記隔壁と前記底板とで構成するコーナー部に開口部を設けると共に、該開口部を通して、又は、該開口部の近傍まで前記隔壁と前記底板の隅部に、加熱管を設けて、原油の揚げ荷役時又は前記貨物油タンクの洗浄時に、前記加熱管を加熱することにより、前記隔壁と前記底板の隅部に堆積するスラッジのワックス分とアスファルテンを溶解して、スラッジの堆積量を低減することを特徴とする方法である。この方法によれば、上記の船舶と同様な効果を得ることができる。
【発明の効果】
【００２７】
本発明の船舶、及び、船舶のスラッジ堆積量低減方法によれば、貨物油タンクの内部の隔壁と底板との隅部で、隔壁の下部に沿って配置される加熱管により、貨物油タンクの原油に含まれているワックス分とアスファルテンを溶融することができ、スラッジの堆積を防ぎながら、揚げ荷役やタンク洗浄ができるので、貨物油タンクの内部のスラッジの堆積量を低減することができる。その結果、ドック入り時のスラッジの陸揚げ量を少なくして、スラッジを陸揚げして陸上設備で処理する際の時間や処理費用を少なくすることができる。
【図面の簡単な説明】
【００２８】
【図１】本発明の実施の形態の船舶の貨物油タンクの構造を示す斜視図である。
【図２】本発明の実施の形態の船舶における加熱管の配置を示す貨物油タンク内の部分斜視図である。
【図３】本発明の実施の形態の船舶における加熱管の配置を模式的に示す横断面図である。
【図４】ブラケット及び垂直方向の桁材の下部の開口部とこの開口部における加熱管の配置を模式的に示す部分断面図である。
【図５】本発明の実施の形態の船舶における加熱管の配置を模式的に示す部分平面図である。
【図６】超大型タンカー船（ＶＬＣＣ）の貨物油タンクの構造の一例を示す斜視図である。
【発明を実施するための形態】
【００２９】
以下、本発明に係る実施の形態の船舶、及び、船舶のスラッジ堆積量低減方法について、図面を参照しながら説明する。この本願発明の対象となる船舶は、貨物油タンクの底面全体に加熱管を張り巡らすことなく、原油を貨物油タンクに積載して運搬する船舶である。
【００３０】
図１〜図３に示すように、この船舶１では、図６に示す従来技術の船舶１Ａと同様に、貨物油タンク１０は、船長方向の区切りとして複数配置され、船幅方向に配置される横隔壁１１と、船幅方向の区切りとして船長方向に配置される縦通隔壁１２とによって、周囲を囲まれている。図１の構成では、縦通隔壁１２により、左舷タンク１０Ｐ，センタータンク１０Ｃ、右舷タンク１０Ｓに区画されている。また、二重底構造が採用され、船底１３の上に隙間１４を介して底板１５が設けられている。
【００３１】
そして、センタータンク１０Ｃは、その周囲を前後２つの横隔壁１１，１１と、左右２つの縦通隔壁１２，１２によって囲まれている。一方、左舷タンク１０Ｐと右舷タンク１０Ｓは、前後２つの横隔壁１１，１１と、１つの縦通隔壁１２と、舷側側即ち船側外板１９側の側面の水密隔壁１８によって囲まれている。この舷側側の側面の水密隔壁１８の外側がバラストタンク３０になっていて二重構造となっている。なお、この隣接するバラストタンク３０の内部は防食のために保護用の塗装が施工されている。
【００３２】
この横隔壁１１と縦通隔壁１２には、これらの壁板を補強する上下方向又は水平方向の桁材（図示しない）が設けられ、比較的大きな桁材として、垂直方向の桁材１２ａが設けられている。そして、横隔壁１１又は縦通隔壁１２と底板１５とで形成される隅部に、所定の間隔でブラケット１６が設けられている。このブラケット１６により、横隔壁１１又は縦通隔壁１２と底板１５との構造的な接続を補強して、この部分に大きな繰り返し荷重が掛かるのを緩和する。
【００３３】
本発明においては、図２及び図３に示すように、このブラケット１６をサポート型のコーナー無しのストラット形式のブラケットで構成する。それと共に、ブラケット１６のコーナー部の開口部の開口面積を大きくする。つまり、貨物油タンク１０の内部の隔壁１１等（横隔壁１１、縦通隔壁１２、舷側側の側面の水密隔壁１８：以下、隔壁１１等という）と底板１５との隅部に設けるブラケット１６の一部又は全部で、隔壁１１等と底板１５とで構成するコーナー部に開口部１６ａを設ける。また、垂直方向の桁材１２ａの下部には、開口部１２ａａを設ける。
【００３４】
このような開口部１６ａ及び開口部１２ａａを採用することで、従来型のブラケットのコーナー部に堆積するスラッジの堆積量に比べて、このブラケット１６のコーナー部及び垂直方向の桁材１２ａの下部のコーナー部におけるスラッジの堆積量を著しく減少させることができる。また、この開口部１６ａ、１２ａａの開口面積は、スラッジの堆積量を少なくするために強度が許せる範囲で最大限に大きくすることが好ましい。
【００３５】
これにより、貨物油タンク１０の洗浄時に、洗浄水又は洗浄油が隔壁１１等に沿って流れるようにして、ブラケット１６と垂直方向の桁材１２ａの下部のいずれかが堰となってスラッジが溜まるのを避ける。
【００３６】
なお、このブラケット１６の開口部１６ａ、若しくは、垂直方向の桁材１２ａの下部の開口部１２ａａは、隔壁１１等に沿って洗浄水又は洗浄油が流れるように、その経路の全部に設けることが好ましいが、強度的な制約がある場合もあるので、その場合は、その構造部分を除いて設ける。このブラケット１６の開口部１６ａ、及び、垂直方向の桁材１２ａの下部の開口部１２ａａの形状は、円弧でも楕円形でも三角形でもどのような形状でもよい。なお、この実施の形態では、縦通隔壁１２の垂直方向の桁材１２ａを例にしているが、洗浄水又は洗浄油の排出方向に応じて、横隔壁１１の垂直方向の桁材に関して、同様な開口部を設けてもよい。
【００３７】
そして、本発明においては、さらに，このブラケット１６の開口部１６ａ、若しくは、垂直方向の桁材１２ａの下部の開口部１２ａａを通して、隔壁１１等と底板１５の隅部に、加熱管２０を設ける。この加熱管２０は、隔壁１１等と底板１５の両方に対して離間して設ける。これにより、舷側側の貨物油タンクの外側（舷側側）に配置されたバラストタンク３０の内部の塗装部分に加熱管２０からの熱が直接熱伝導しないように考慮して、この塗装部の温度が損傷しない温度範囲内に収まるようにする。なお、加熱管２０を開口部１６ａ、１２ａａを通して設ける替りに、加熱管２０を開口部１６ａ、１２ａａの近傍まで設けて、開口部１６ａ、１２ａａを通さない構成にしてもよい。
【００３８】
この加熱管２０の取り付けは、例えば、ブラケット１６の開口部１６ａ側から支持部材を出して、受け台、馬、ボルトナット等を使用して、底板１５から離間した状態に支持して取り付ける。このような構成にすることで、加熱管２０を底板１５に載置せずに設けられるので、固着する前の、流動性があるスラッジが、ブラケット１６の開口部１６ａ、若しくは、垂直方向の桁材１２ａの下部の開口部１２ａａを通過するときに、加熱管２０の支持構造によって妨げられるのを防止することができる。
【００３９】
なお、加熱管２０の底板１５の上の設置高さや隔壁からの離間距離に関しては、貨物である原油の性状分析を行い、適正な温度と設置高さ、離間距離の関係を実験等で分析して、最適な設定高さ、離間距離とする。
【００４０】
また、この加熱管２０の取り付けは、スラッジが堆積しないように可能な限り流れ易くなるように、流速と流速方向を工夫することが好ましい。例えば、この加熱管２０の取り付け方向は、各貨物油タンク１０の船長方向の縦通隔壁１２や側壁の水密隔壁１８に沿って配置、若しくは、洗浄水又は洗浄油を吸引する側の横隔壁１１に沿って、更には、その両方に沿って、配置することが考えられるが、貨物である原油の性状によっては、各貨物油タンクの四つの周囲の隔壁１１等沿いに配置するとより効果的となる場合もある。
【００４１】
また、開口部１６ａ、１２ａａは、溜まり水を通過させる役割に加えて、加熱管２０を通過させる役割を持つので、溜まり水を通過させる役割のドレンホールよりも大きいが、溶接しながら走行する自動溶接機を通すための開口部よりも小さくてよい。
【００４２】
この隔壁１１等に沿って加熱管２０を配置した構成により、貨物油タンク１０の内部の隔壁１１等と底板１５との隅部で、原油に含まれているワックス分とアスファルテンを溶融することができ、原油やスラッジの粘性を低下することができる。これにより、スラッジの堆積を防ぎながら、揚げ荷役やタンク洗浄のときに加熱管２０を加熱することで、溶融したスラッジの一部を揚げ荷役できたり、洗浄水又は洗浄油で洗浄することができたりするので、スラッジの堆積量を低減することができる。その結果、ドック入り時のスラッジの陸揚げ量を少なくすることができるので、スラッジを陸揚げして陸上設備で処理する際の時間や処理費用を少なくすることができる。
【００４３】
また、貨物油タンク１０の洗浄水又は洗浄油の吸引口を貨物油タンク１０の後部に設けると共に、加熱管を船長方向に延びる隔壁（縦通隔壁１２又は舷側側の側面の水密隔壁１８：以下、隔壁１２等という）の下部に沿って船長方向に配置して構成すると、揚げ荷役の後は、タンカー船などの船舶では、船尾側に機関室や居住区が配置されていることが多いので、船体の姿勢を船尾側に傾斜する船尾トリムにすることで、貨物油タンク１０の洗浄時に、洗浄水又は洗浄油を船尾方向に流すことができ、隔壁１２等の下部に設けたブラケット１６の開口部１６ａ、若しくは、垂直方向の桁材１２ａの下部の開口部１２ａａによりこの洗浄水又は洗浄油の流れを阻害することなく、貨物油タンク１０の後部に設けた吸引口から洗浄水又は洗浄油を排出することができる。
【００４４】
次に、本発明の実施の形態の船舶のスラッジ堆積量低減方法について説明する。この方法は、貨物油タンク１０の内部の隔壁１１等と底板１５との隅部に設けるブラケット１６、若しくは、垂直方向の桁材１２ａの下部の一部又は全部で、隔壁１１等と底板１５とで構成するコーナー部に開口部１６ａ若しくは開口部１２ａａを設けると共に、開口部１６ａ、１２ａａを通して、又は、開口部１６ａ、１２ａａの近傍まで、隔壁１１等と底板１５のコーナー部に、加熱管２０を設けて、原油の揚げ荷役時又は貨物油タンク１０の洗浄時に、加熱管２０を加熱することにより、隔壁１１等と底板のコーナー部に堆積するスラッジのワックス分とアスファルテンを溶解して、スラッジの堆積量を低減することを特徴とする方法である。
【００４５】
上記の構成の船舶１、及び、船舶のスラッジ堆積量低減方法によれば、貨物油タンク１０の内部の隔壁１１等と底板１５との隅部で、隔壁の下部に沿って配置される加熱管２０により、貨物油タンク１０の原油に含まれているワックス分とアスファルテンを溶融することができ、スラッジの堆積を防ぎながら、揚げ荷役やタンク洗浄ができるので、貨物油タンク１０の内部のスラッジの堆積量を低減することができる。
【００４６】
その結果、ドック入り時のスラッジの陸揚げ量を少なくして、スラッジを陸揚げして陸上設備で処理する際の時間や処理費用を少なくすることができる。
【産業上の利用可能性】
【００４７】
本発明の、船舶、及び、船舶のスラッジ堆積量低減方法によれば、貨物油タンクの内部のスラッジの堆積量を低減できるので、ドック入り時のスラッジの陸揚げ量を少なくして、スラッジを陸揚げして陸上設備で処理する際の時間や処理費用を少なくすることができるので、貨物油タンクの底面全体に加熱管を張り巡らすことなく、原油を貨物油タンクに積載して運搬する多くの船舶に利用することができる。
【符号の説明】
【００４８】
１  商用船舶
１０  貨物油タンク
１０Ｃ  センタータンク
１０Ｐ  左舷タンク
１０Ｓ  右舷タンク
１１  横隔壁（隔壁）
１２  縦通隔壁（隔壁）
１２ａ  桁材
１２ａａ  開口部
１３  船底
１４  隙間
１５  底板
１６  ブラケット
１６ａ  開口部
１７  吸引口
１８  側面の水密隔壁（隔壁）
１９  船側外板
２０  加熱管
３０  バラストタンク
【図１】
2015229452.tif 000003
【図２】
2015229452.tif 000004
【図３】
2015229452.tif 000005
【図４】
2015229452.tif 000006
【図５】
2015229452.tif 000007
【図６】
2015229452.tif 000008